(57)【特許請求の範囲】
【請求項１】
移動可能な中間転写ベルトと、
前記中間転写ベルトにトナー像を形成するトナー像形成ユニットと、
前記中間転写ベルトの内側に配置される対向ローラと、
記録材を担持して搬送する移動可能な搬送ベルトと、
前記搬送ベルトの内側に配置され、前記中間転写ベルトと前記搬送ベルトとを介して前記対向ローラとの間で互いに押圧されて転写部を形成する転写ローラと、
前記中間転写ベルトに形成されたトナー像を前記搬送ベルトで搬送された記録材上に前記転写部で静電的に転写するバイアスを印加する電源と、
前記搬送ベルトの移動方向において前記転写ローラより下流側の前記搬送ベルトの内側から前記搬送ベルトを張架し、前記搬送ベルトで搬送される記録材が前記搬送ベルトから分離される位置に配置される分離張架ローラと、
前記搬送ベルトの移動方向において前記転写ローラより下流側かつ前記分離張架ローラより上流側の前記搬送ベルトの内側に配置され、前記移動方向に交差する幅方向において均一な形状を有し、前記搬送ベルトを外側に押し上げて前記搬送ベルトの移動方向において前記転写部より下流側の前記搬送ベルトと前記中間転写ベルトとが前記対向ローラに巻き付く巻き付き領域を形成する張架位置と、前記搬送ベルトから離間する退避位置との間を移動可能な下流側張架部材と、
前記搬送ベルトから分離された記録材を下流側に案内する案内部材と、を備える画像形成装置において、
画像形成が開始されてから記録材の先端が前記転写部に到達するまでの期間中に前記下流側張架部材を前記張架位置へ移動させる張架動作を実行し、記録材の先端が前記巻き付き領域における記録材搬送方向の下流側端部から所定の長さだけ離れた位置に到達してから前記下流側張架部材に到達するまでの期間中であって、前記所定の長さは記録材の搬送方向において前記分離張架ローラから前記案内部材の上流側の端部までの間隔の長さである期間中に、前記下流側張架部材を前記退避位置へ移動させる退避動作を実行する実行部を有することを特徴とする画像形成装置。
【請求項２】
前記実行部は、基準の坪量以下の坪量の記録材であって、両面印刷モードの第二面印刷の場合に、前記張架動作と前記退避動作とを実行することを特徴とする請求項１に記載の画像形成装置。
【請求項３】
前記張架位置は、前記巻き付き領域の角度が第１の角度となる第１の張架位置と、前記第１の角度より大きい角度となる第２の張架位置と、を含み、前記実行部は、前記張架動作を行う場合に前記下流側張架部材を前記第１の張架位置又は前記第２の張架位置のいずれかに移動することを特徴とする請求項１又は２に記載の画像形成装置。
【発明の詳細な説明】
【技術分野】
【０００１】
本発明は、複写機やレーザプリンタ等の電子写真の技術を用いて像担持体に担持されたトナー像を記録材に転写する画像形成装置に関する。詳しくは、記録材の転写、搬送を行う転写搬送ベルトを有する画像形成装置において、剛度の低い記録材の転写搬送ベルトからの搬送性を高める技術に関する。
【背景技術】
【０００２】
多様な記録材に対応するために、トナー像を担持する中間転写ベルトと、記録材を搬送する搬送ベルトとを設けて、中間転写ベルト上のトナー像を搬送ベルト上の記録材に転写する構成がある。特許文献１には、中間転写ベルトと搬送ベルトとを備えた構成において、搬送ベルトから記録材を分離するために、搬送ベルトを張架する分離ローラの曲率を利用する構成が記載されている。
【先行技術文献】
【特許文献】
【０００３】
【特許文献１】特開２０１１−９５３６８
【発明の概要】
【発明が解決しようとする課題】
【０００４】
しかし記録材収容部に長く記録材が放置されると、装置の構成によって、記録材の吸湿状態によっては記録材の先端に上向きか下向きの巻きぐせが付いている場合がある。下向きの巻きぐせが付いた記録材が搬送ベルトに搬送された場合、記録材の先端が分離ローラの位置に到達するときに、記録材の先端が下を向いて、下流側のガイドの下側にいくおそれがある。すなわち下流のガイドへの搬送不良が生じるおそれがある。
【課題を解決するための手段】
【０００５】
上記課題を解決するための本発明は、移動可能な中間転写ベルトと、前記中間転写ベルトにトナー像を形成するトナー像形成ユニットと、前記中間転写ベルトの内側に配置される対向ローラと、記録材を担持して搬送する移動可能な搬送ベルトと、前記搬送ベルトの内側に配置され、前記中間転写ベルトと前記搬送ベルトとを介して前記対向ローラとの間で互いに押圧されて転写部を形成する転写ローラと、前記中間転写ベルトに形成されたトナー像を前記搬送ベルトで搬送された記録材上に前記転写部で静電的に転写するバイアスを印加する電源と、前記搬送ベルトの移動方向において前記転写ローラより下流側の前記搬送ベルトの内側から前記搬送ベルトを張架し、前記搬送ベルトで搬送される記録材が前記搬送ベルトから分離される位置に配置される分離張架ローラと、前記搬送ベルトの移動方向において前記転写ローラより下流側かつ前記分離張架ローラより上流側の前記搬送ベルトの内側に配置され、前記移動方向に交差する幅方向において均一な形状を有し、前記搬送ベルトを外側に押し上げて前記搬送ベルトの移動方向において前記転写部より下流側の前記搬送ベルトと前記中間転写ベルトとが前記対向ローラに巻き付く巻き付き領域を形成する張架位置と、前記搬送ベルトから離間する退避位置との間を移動可能な下流側張架部材と、前記搬送ベルトから分離された記録材を下流側に案内する案内部材と、を備える画像形成装置において、画像形成が開始されてから記録材の先端が前記転写部に到達するまでの期間中に前記下流側張架部材を前記張架位置へ移動させる張架動作を実行し、記録材の先端が前記巻き付き領域における記録材搬送方向の下流側端部から所定の長さだけ離れた位置に到達してから前記下流側張架部材に到達するまでの期間中であって、前記所定の長さは記録材の搬送方向において前記分離張架ローラから前記案内部材の上流側の端部までの間隔の長さである期間中に、前記下流側張架部材を前記退避位置へ移動させる退避動作を実行する実行部を有することを特徴とする。
【発明の効果】
【０００６】
多様な記録材への対応を強化するために、中間転写ベルトと搬送ベルトとを設けた構成において、先端に下向きの巻きつきぐせがついた記録材が搬送ベルトに搬送されても搬送ベルトからガイドへの搬送不良を引き起こすのを抑制することができる。
【図面の簡単な説明】
【０００７】
【図１】画像形成装置の構成を説明する図である。
【図２】二次転写位置の構成を説明する図である。
【図３】実施形態２の下流側張架ローラの動作を示す図である。
【図４】下流側張架ローラの制御のブロック図である。
【図５】下流側張架ローラの制御のフローチャートである。
【発明を実施するための形態】
【０００８】
＜実施形態１＞
（画像形成装置）
図１を用いて実施形態１の画像形成装置の構成及び動作について説明する。
【０００９】
符号１Ｙ、１Ｍ、１Ｃ、１ｋはそれぞれトナー像を担持する像担持体としての感光ドラムであり、矢線Ａ方向へ回転する。感光ドラム１Ｙ、１Ｍ、１Ｃ、１ｋの表面は、対応する感光ドラムを帯電する帯電装置２Ｙ、２Ｍ、２Ｃ、２ｋにより一様に帯電される。符号３Ｙ、３Ｍ、３Ｃ、３ｋは画像情報に基づいて対応する感光ドラム１Ｙ、１Ｍ、１Ｃ、１ｋを露光する露光装置である。このように周知の電子写真プロセスによって画像情報に応じた静電潜像が感光ドラム１Ｙ、１Ｍ、１Ｃ、１ｋに形成される。
【００１０】
現像装置４Ｙ、４Ｍ、４Ｃ、４ｋはそれぞれ有彩色トナーのイエロ（Ｙ）、マゼンタ（Ｍ）、シアン（Ｃ）とブラック（ｋ）トナーを内包する。感光ドラム１Ｙ、１Ｍ、１Ｃ、１ｋ上に形成された静電潜像は対応する現像装置４Ｙ、４Ｍ、４Ｃ、４ｋにより現像される。すなわち感光ドラム１Ｙ、１Ｍ、１Ｃ、１ｋ上に対応する色のトナー像が形成される。なお静電潜像の露光部にトナーを付着させて現像する反転現像方式が用いられる。
【００１１】
符号６は感光ドラム１Ｙ、１Ｍ、１Ｃ、１ｋから転写されるトナー像を搬送する中間転写ベルトである。中間転写ベルト６は、感光体ドラム１Ｙ、１Ｍ、１Ｃ、１ｋの表面に当接されるよう配設される。さらに中間転写ベルト６は複数の張架ローラ２０、２１、２２、２３によって張架されており、矢印Ｇの方向へ２５０〜３００ｍｍ／ｓｅｃで移動可能になっている。なお張架ローラ２０は中間転写ベルト６の張力を一定に制御するテンションローラであり、張架ローラ２２は中間転写ベルト６の移動を駆動する駆動ローラである。また張架ローラ２１は中間転写ベルト６からトナー像を記録材に転写する二次転写ローラに対向する二次転写対向ローラである。
【００１２】
符号２４は記録材Ｐを担持して搬送する転写搬送ベルトである。転写搬送ベルト２４は複数の張架ローラ２５、２６、２７によって張架されており、矢印Ｂの方向へ２５０〜３００ｍｍ／ｓｅｃで移動可能になっている。なお張架ローラ２６は転写搬送ベルト２４から記録材Ｐを分離するための分離張架部材として機能する。
【００１３】
なお中間転写ベルト６はポリイミド、ポリカーボネートなどの樹脂または各種ゴム等が帯電防止剤としてカーボンブラックを適当量含有するように構成される。本実施形態では中間転写ベルト６の体積抵抗率は１Ｅ＋９〜１Ｅ＋１４［Ω・ｃｍ］であって、厚みが０．０７〜０．１［ｍｍ］である。
【００１４】
また転写搬送ベルト２４も中間転写ベルト６と同様にポリイミド、ポリカーボネートなどの樹脂または各種ゴム等が帯電防止剤としてカーボンブラックを適当量含有するように構成される。本実施形態では転写搬送ベルト２４の体積抵抗率は１Ｅ＋９〜１Ｅ＋１４［Ω・ｃｍ］であって、厚みは０．０７〜０．１［ｍｍ］である。転写搬送ベルト２４は、引っ張り試験法（ＪＩＳ  Ｋ  ６３０１）で測定したヤング率の値が１０ＭＰａ以下となるようなものであってもよい。
【００１５】
符号８は記録材を転写搬送ベルト２４へ供給するタイミングを調整するレジストレーションローラである。レジストレーションローラ８は記録材を一旦停止して転写搬送ベルト２４に供給する。符号２８は記録材Ｐを転写搬送ベルトに吸着させる吸着手段としての吸着ローラ対である。吸着ローラ対２８は、転写搬送ベルト２４の内側に配置されたローラと外側に配置されたローラの一対で構成される。記録材Ｐが吸着ローラ対２８を通過する際に、転写搬送ベルトの内側に配置されたローラに吸着バイアス印加手段３０により定電流制御された吸着バイアスで−１５〜−３０μＡの電流を流す。その結果記録材Ｐを転写ベルト２４に静電吸着させる。
【００１６】
吸着ローラ対２８から記録材搬送方向において下流側には、中間転写ベルト６からトナー像を転写搬送ベルト２４に担持された記録材に転写する二次転写部材として二次転写ローラ９が配置される。二次転写ローラ９は転写搬送ベルトの内側に配置されて、二次転写対向ローラ２１を転写搬送ベルト２４と中間転写ベルト６とを介して圧する。すなわち二次転写ローラ９と二次転写対向ローラ２１とが、中間転写ベルト６と転写搬送ベルト２４とを介して押圧部Ｎで互いに押圧する。記録材が二次転写部に搬送されると、２次転写ローラ９にトナーと逆極性の２次転写電流が印加されることによって、中間転写ベルト６上のトナー像が記録材上へ一括して静電的に転写される。本実施例では、＋３０〜６０μＡの電流を流している。２次転写電流が変化するのは、記録材の乾燥状態、環境、転写するトナーの量等の要因によって、必要な電流量が変化するためである。
【００１７】
なお二次転写ローラ９はイオン導電系発泡ゴム（ＮＢＲゴム等）の弾性層と芯金からなり、外径が２４ｍｍ，ローラ表面粗さＲｚ＝６．０〜１２．０（μｍ）、抵抗値がＮ／Ｎ（２３℃、５０％ＲＨ）測定、２ｋＶ印加で１Ｅ＋５〜１Ｅ＋７Ωのローラを使用している。２次転写ローラ９には、供給バイアスが可変となっている２次転写高圧電源１３が取り付けられている。
【００１８】
トナー像が転写された記録材Ｐは、分離張架ローラ２６の位置に到達すると転写搬送ベルト２４から分離する。その後記録材Ｐは分離後ガイド７０に支持されてから、トナー像を記録材に定着する定着装置５３に運ばれる。トナー像が記録材に定着された後、記録材は画像形成装置の外へ排出される。
【００１９】
（二次転写位置での構成）
記録材を収容する記録材収容部に記録材が放置されて、搬送される記録材の先端に巻きぐせが付いている場合がある。下向きの巻きぐせが付いた記録材が搬送ベルトに搬送された場合、記録材の先端が分離ローラの位置に到達するときに、記録材の先端が下を向いて、下流側のガイドの下側にいくおそれがある。すなわち下流のガイドへの搬送不良が生じるおそれがある。
【００２０】
そこで本実施形態では、中間転写ベルト２４の移動方向において、二次転写ローラ９と二次転写対向ローラ２１とが押圧する押圧部より下流側で、転写搬送ベルト２４が中間転写ベルト６を介して二次転写ローラ２１側に巻き付く領域を形成するように、下流側張架ローラ２９が配置される。
【００２１】
すなわち、転写搬送ベルト２４が移動する方向において、押圧部の下流側端部を通り分離張架ローラ２６に接する接線に対して、前記転写搬送ベルトのベルト面が前記中間転写ベルト側に突出する。
【００２２】
巻き付き領域では記録材が二次転写対向ローラの外形に沿うので、記録材に上向きの巻き癖を形成する力が生じる。搬送される記録材に強い下向きの巻きぐせがついているような場合には、記録材が巻き付き領域を通過すると、記録材の下向きの巻きぐせが弱まるか、記録材に上向きの巻きぐせが形成される。その結果搬送される記録材の先端に下向きの巻きつきぐせがついていても、下向きの巻きぐせが矯正されて、搬送ベルトから分離後ガイド２９への搬送不良を引き起こすのを抑制することができる。
【００２３】
なお本実施形態で巻き付き領域を押圧部の下流側に形成する理由について説明する。巻き付き領域を押圧部の上流側に形成することによっても、下向きの巻きぐせを押圧部の上流側で矯正することはできる。しかし押圧部の下流側の形状によっては下向きの巻き癖を矯正する効果が低減するおそれがある。そのため巻き癖を矯正する効果を確実にするためには、巻き付き領域を押圧部の下流側に形成するのが望ましい。
【００２４】
巻き付き領域を形成するための本実施形態の構成の詳細について図２を用いて説明する。図２は中間転写ベルト６からトナー像を転写搬送ベルト２４に搬送される記録材に転写する二次転写位置を示す。
【００２５】
２５は、転写搬送ベルトが移動する方向において二次転写ローラ９より上流側で隣り合う上流側ローラ２５であり、２９は、二次転写ローラ９より下流側で二次転写ローラ９の隣りで転写搬送ベルトを張架する下流側張架ローラ２９（下流側張架部材）である。上流側ローラ２５と下流側張架ローラ２９とは、記録材を搬送する搬送方向に垂直な幅方向において均一な形状となっている。本実施形態では下流側張架ローラ２９は、幅方向において全域において、半径が同じであるストレートな形状である。Ｅ１は、転写搬送ベルト２４の回転方向において、二次転写ローラ９と二次転写対向ローラ２１とが、転写搬送ベルト２４と中間転写ベルト６とを介して互いに押圧する押圧部Ｎの上流側端部を示す。Ｅ２は、転写搬送ベルト２４の回転方向において、二次転写ローラ９と二次転写対向ローラ２１とが互いに押圧する押圧部Ｎの下流側端部を示す。ＬはＥ１とＥ２とを通過する直線を示す。Ｓは、転写搬送ベルト２４の回転方向において押圧部Ｎと下流側張架ローラ２９との間の転写搬送ベルト２４のベルト面を示す。本実施形態ではベルト面Ｓが線Ｌよりも中間転写ベルト６側に位置するように、下流側張架ローラ２９が配置される。
【００２６】
さらに下流側張架ローラ２９は、転写搬送ベルトの回転方向において押圧部Ｎの下流側に、転写搬送ベルト２４が中間転写ベルト６を介して二次転写対向ローラ２１に所定の巻き付き角度αで巻き付く巻き付き領域Ｃが形成されるように配置される。記録材が巻き付き領域Ｃを通過するときに、記録材は上向きに巻く姿勢になる。そうすると記録材の先端に下向き（Ｇ方向）の巻き癖がついていても、記録材の下向きの巻きぐせが軽減されるので、分離後ガイド７０への搬送不良が生じるが抑制される。
【００２７】
なおＥ３は、記録材搬送方向における巻き付き領域の下流側端部である。すなわち巻き付き領域Ｃは、記録材搬送方向においてＥ２からＥ３までの二次転写対向ローラ２１に沿った範囲で示される。
【００２８】
なお角度αの必要量に関しては、記録材の巻きぐせの強さや、二次転写対向ローラの直径によって変化するので、各機種の断面構成から最適化することが望ましい。
【００２９】
なお本実施形態では、巻き付き領域を押圧部の下流側のみに形成する構成となっている。しかしこの構成に限定する意図ではない。カール矯正効果を高めるために、巻き付き領域を押圧部の下流側と上流側との両方に形成するように、下流側張架ローラ２９と上流側ローラ２５とが配置される構成であってもよい。この構成でカール矯正効果をさらに高めるためには、上流側ローラ２５の巻き付き領域での巻き付き角度より下流側ローラの巻き付き領域での巻き付き角度が大きいのが有効である。というのはカールの巻きぐせ矯正効果は、転写搬送ベルト２４と中間転写ベルト６とによって挟まれる最後の姿勢に依存する傾向があるからである。
【００３０】
なお本実施形態では下流側張架ローラ２９としてストレート形状のローラを用いたがこれに限定する意図ではない。下流側張架ローラ２９としてクラウン形状のローラを用いてもよい。
【００３１】
＜実施形態２＞
実施形態１と重複する点については説明を省略する。実施形態１と相違する点について説明する。
【００３２】
本実施形態では、転写搬送ベルト２４の移動方向において二次転写ローラ９より下流側で隣り合う下流側張架ローラ２９が、転写搬送ベルト２４を張架して巻き付き領域を形成する位置（張架位置）と、張架位置から退避した位置（退避位置）とに移動可能に構成される。ここで張架位置とは、巻き付き領域を形成するための位置であり実施形態１と同じ位置である。また退避位置とは、転写搬送ベルトから離間した位置である。
【００３３】
下流側張架ローラ２９が張架位置と退避位置との間を移動するための詳細な構成について図３を用いて説明する。
【００３４】
下流側張架ローラ２９を回転可能に支持するローラフレーム４２と、下流側張架ローラ２９の揺動中心となるローラ揺動中心軸４３を有する。さらに、ローラ揺動中心軸４３を中心にして下流側張架ローラ２９を揺動するためのローラ駆動ギア４４と、ローラ駆動ギア４４に駆動力を伝達するためのモーター駆動伝達ギア４５と、駆動源であるモーター４６を有する。モーター４６の回転運動がモーター駆動伝達ギア４５によって、ローラ駆動ギア４４に伝達される。ここで、ローラ駆動ギア４４とコロ揺動中心軸４３の間にはベアリングを設けているため、ローラ揺動中心軸４３は、モーター４６による回転駆動の影響は受けず位置が動かないようになっている。
【００３５】
下流側張架ローラ２９、ローラフレーム４２はローラ揺動中心軸４３を中心にモーター４６の所定量の正回転により、図３（ａ）で示されるローラ収納位置から、Ｙ１方向へ図３（ｂ）で示される下流側張架ローラ２９が転写搬送ベルト２４の内面に当接して転写搬送ベルト２４を均一に押し上げる張架位置まで動く。さらに、モーター４６の所定量の逆回転により、下流側張架ローラ２９は、図３（ｂ）の張架位置からＹ２方向へ移動して、図３（ａ）で示される下流側張架ローラ２９が転写ベルト２４から離間した位置へ動くことができる。すなわち、下流側張架ローラ２９は、正逆回転により、このような揺動運動を行うようになっている。
【００３６】
下流側張架ローラ２９の動作位置は、制御部５０によって制御される。この制御の関係を示しているのが図４である。下流側張架ローラ２９の動作位置信号の制御は、ユーザーにユーザー操作部１０２で指定された記録材の坪量情報、ユーザーに指定された印刷モード情報、レジストローラ対８の記録材送りタイミングと記録材の搬送速度に基づいて得られる記録材先端位置情報に基づく。制御部５０はＣＰＵ，ＲＯＭ、ＲＡＭを含む。制御部５０は下流側張架ローラ２９のモーターの動作を制御する。なお坪量とは、単位面積辺りの重さ（ｇ／ｍ２）を示す単位で、記録材の厚みを示す値として一般的に用いられる。
【００３７】
本実施形態では、以下のパターンがＲＯＭに予め記憶されている。
・記録材が坪量６０ｇ／ｍ２より大きい場合には、下流側張架ローラ２９が退避位置に位置する。退避位置において分離補助コロ４１は転写ベルト２４から離間している。
・記録材が坪量６０ｇ／ｍ２以下の場合には、両面印刷モードでの第一面印刷及び片面印刷モードの場合には、下流側張架ローラ２９は張架位置（第１の張架位置）に位置する。転写搬送ベルト２４は所定の巻き付き角度（第１の巻き付き角度）で二次転写対向ローラに巻きつく巻き付き領域Ｃを形成する
・記録材が坪量６０ｇ／ｍ２以下の場合には、両面印刷モードでの第二面印刷の場合には、下流側張架ローラ２９は第２の張架位置に位置する。転写搬送ベルト２４は第１の巻き付き角度より大きい巻き付き角度（第２の巻き付き角度）で二次転写対向ローラに巻きつく巻き付き領域Ｃ´を形成する。
【００３８】
このような制御を行う理由について以下で説明する。
【００３９】
まず搬送される記録材が厚紙である場合には、厚紙の剛度は強い。そのため下流側張架ローラ２９が転写搬送ベルト２４を押し上げていると、分離張架ローラ２６に到達する前に下流側張架ローラ２９の曲率を利用して、厚紙が転写搬送ベルト２４から分離するおそれがある。その結果厚紙が飛び出すおそれがある。
【００４０】
そこで本実施形態では、厚紙が転写搬送ベルト２４から下流側張架ローラ２９の位置で飛び出さないように、厚紙が搬送される場合には下流側張架ローラ２９は転写搬送ベルト２４から離間する。その結果巻き付き領域は形成されない。なお厚紙の剛度は強いので、厚紙に巻きぐせはつきにくい。そのため厚紙が搬送される場合に下向きの巻きぐせに起因する分離後ガイド７０への搬送不良は生じない。
【００４１】
ところで両面印刷モードでは第一面の定着後の記録材を搬送する搬送路において、記録材に下向きの巻きぐせが強く形成される傾向があるとわかった。すなわち両面印刷モードでの第二面に二次転写する場合に巻き付き領域が狭いと、記録材の下向きの巻きぐせを十分に軽減することができない。すなわち両面印刷モードの第二面印刷時には、巻き付き領域を広くするのが望ましい。そこで本実施形態では、両面印刷モードでの第一面印刷時や片面印刷モード時には第１の巻き付き角度の巻き付き領域を形成して、両面印刷モードでの第二面印刷時には第１の巻き付き角度より大きな巻き付き角度（第２の巻き付き角度）で巻き付き領域を形成する。
【００４２】
図５は本実施形態における制御フローを説明するフローチャートである。
【００４３】
まず、ユーザーによって、画像形成装置の操作部で紙種／紙サイズの選択が行われる（Ｓ１０１）。同様に操作部にてユーザーによるプリント枚数と面数（片面モードか両面モードか？）の指定が行われる（Ｓ１０２）。画像形成装置のコピースタートボタンが押され（Ｓ１０３）、画像形成がスタートする。Ｓ１０１によって選択された紙種が６０ｇｓｍ以下かどうかが判断される（Ｓ１０４）。６０ｇｓｍ以上である場合にはトナー像を記録材に形成する二次転写を実行する（Ｓ１０５）。その後Ｓ１０６で記録材は転写搬送ベルト２４から分離する。
【００４４】
一方でＳ１０４で搬送される記録材の坪量が６０ｇｓｍ以下であった場合には、転写搬送ベルト２４から記録材を分離後ガイドへ搬送するのを補助するために巻き付き領域を形成する必要がある。この場合にはＳ１０２での入力情報に基づいて両面印刷モードの第２面目かどうかが判断される（Ｓ１０７）。両面印刷モードの第２面ではない場合には、両面印刷モードの第１面か片面印刷モードであるので、記録材は定着位置から二次転写位置へ搬送する搬送パスを経由していない。そのため記録材に強い下向きの巻きぐせはついていないので、巻き付き領域は小さくてよい。そこでＳ１０８で下流側張架ローラ１０９は転写搬送ベルト２４を所定量（第１の押し上げ量）押し上げる第１の張架位置へ配置される。第１の張架位置は実施形態１と同じ位置であり、巻き付き角度α（第１の巻き付き角度）で巻き付き領域Ｃを形成する。ここで押し上げる量は転写搬送ベルト２４が退避位置に配置されるときの転写搬送ベルト２４の位置を基準とするベルト面に垂直な方向の量とする。その後Ｓ１０９で二次転写を実行する。
【００４５】
二次転写後に、Ｓ１１０で記録材搬送方向において記録材の先端が巻き付き領域Ｃの下流側端部から下流側にさらに所定距離離れた位置（Ｊｍｍ）に到達する。その後Ｓ１１１で下流側張架ローラが退避位置へ移動する退避動作を行う。Ｊは記録材搬送方向における分離張架ローラから下流側ガイドの上流側端までの間隔の長さと同じ長さに設定される。
【００４６】
ここで記録材の先端が、巻き付き領域Ｃの下流側端部から下流側にさらにＪｍｍ離れた位置を通過してから、Ｓ１１１で下流側張架ローラは退避位置へ移動する理由について説明する。記録材の先端に上向きの巻き癖を形成することで、記録材の先端が転写搬送ベルトから分離後ガイド７０へ搬送される。しかし記録材に上向きの巻き癖が不十分に形成されていれば、記録材の先端が下流側ガイドまで安定的に搬送されないおそれがある。すなわち転写搬送ベルトと下流側ガイドとの間で記録材の搬送を安定化させるためには、記録材搬送方向において、記録材に上向きの巻き癖が形成される範囲が、転写搬送ベルトと下流側ガイドとの間隔の長さ以上であるのが望ましい。そうすると下流側張架ローラが巻き癖形成領域から退避位置へ移動するタイミングを遅らせるのが望ましい。一方で巻き付き領域を形成すると、搬送ベルトと中間転写ベルトとが接触する面積が大きくなる。その結果速度差が発生した場合などに互いのベルト表面を摩耗する度合いが大きくなるおそれがある。すなわち巻き付き領域を形成する期間が長くなるのは好ましくない。
【００４７】
すなわち、転写搬送ベルトと下流側との間での記録材の搬送を安定するために下流側張架ローラが退避するタイミングを遅らせても、巻き癖形成領域を形成する期間が過剰に長くなるのを抑制する構成が望まれている。そこで本実施形態では、記録材の先端が、巻き付き領域Ｃの下流側端部からさらに下流側にＪｍｍの位置に到達すると、下流側張架ローラを退避位置へ移動させる。
【００４８】
Ｓ１０７で両面印刷モードの第二面と判断された場合には定着後の記録材を二次転写位置へ搬送する搬送パスを経由するので、記録材に下向きの巻きぐせが強く形成されると判断される。そこで広い巻き付き領域を形成する必要がある。そこでＳ１１２で下流側張架ローラ２９は第１の押し上げ量より大きな押し上げ量で転写搬送ベルト２４押し上げる第２の張架位置に配置される。第２の張架位置は、第１の巻き付き角度αより大きい巻き付き角度（α´）で巻き付きく巻き付き領域Ｃ´を形成する。その後Ｓ１１３で二次転写を実行する。
【００４９】
Ｓ１１３で二次転写が完了すると、Ｓ１１４で記録材搬送方向において、記録材の先端が、巻き付き領域Ｃ´の下流側端部から下流側にさらにＪｍｍ離れた位置に到達すると、Ｓ１１１で下流側張架ローラは退避位置へ移動する。本実施形態では、Ｊは記録材搬送方向における分離張架ローラから下流側ガイドの上流側端までの間隔の長さと同じ長さに設定される。
【００５０】
Ｓ１１１で下流側張架ローラが退避位置へ配置されると、Ｓ１０６で記録材は転写搬送ベルト２４から分離する。Ｓ１０６で記録材が搬送ベルト２４から分離すると、Ｓ１１５でユーザーによって指定された枚数Ｎの画像形成が完了したかどうかが判断される。指定枚数の画像形成が完了している場合には終了する（Ｓ１１６）。Ｓ１１５で指定枚数Ｎの画像形成が完了していなければＳ１０４に戻る。
【符号の説明】
【００５１】
１  感光ドラム
２  一次帯電器
３  露光装置
４  現像器
５  一次転写ローラ
６  中間転写ベルト
８  レジストレーションローラ
９  二次転写ローラ
１１  ドラムクリーニング装置
１２  ベルトクリーニング装置
１３  二次転写高圧電源
１７  パッチ検知用のパッチセンサー
１８  中間転写ベルト張架ローラ
１９  中間転写ベルト張架ローラ
２０  中間転写ベルト張架ローラ（テンションローラ）
２１  中間転写ベルト張架ローラ（二次転写ローラの対向ローラ）
２２  中間転写ベルト張架ローラ（駆動ローラ）
２４  転写搬送ベルト
２５  転写ベルト張架ローラ（吸着対向ローラ）
２６  転写ベルト張架ローラ（分離張架ローラ）
２７  転写ベルト張架ローラ（テンションローラ）
２８  吸着ローラ
２９  分離ガイド
３０  吸着バイアス印加手段
３１  押し上げローラ
５４  吸着前紙位置センサー
Ｐ  転写材・用紙・紙
【図１】
0005888957.tif 000002
【図２】
0005888957.tif 000003
【図３】
0005888957.tif 000004
【図４】
0005888957.tif 000005
【図５】
0005888957.tif 000006